(57)【特許請求の範囲】
【請求項１】
コンクリートスラブの鼻先の立上り部に複数本の手摺用支柱を立設し、これらの支柱の上端部に笠木を架設し、前記支柱の上下二箇所には、支柱に対する固定部と支柱よりも外方へ突出した支持片とを備えたパネル取付け用ブラケットを固定し、当該ブラケットに手摺壁用のパネルを、コンクリートスラブの鼻先よりも外方に持ち出し、且つ、当該コンクリートスラブの鼻先を覆う状態に取り付けて成る持ち出し手摺であって、前記パネルの上下二箇所に、上下のブラケットの支持片に対応してパネルから内方へ突出した取付け片を設け、上方の取付け片には、下方に開口した縦溝部とその上端から外方へ屈曲した横溝部とからなり、上方のブラケットの支持片に横方向に挿通支持された固定用ボルトに係止することが可能な切欠き部を形成し、当該切欠き部を前記固定用ボルトに係止させた状態で、上方の取付け片と上方のブラケットの支持片とをボルト締めする一方、下方の取付け片と下方のブラケットの支持片とをボルト締めしてあることを特徴とする持ち出し手摺。
【請求項２】
上方のブラケットの支持片に形成されるボルト孔を縦長の長孔状とし、下方の取付け片に形成されるボルト孔と下方のブラケットの支持片に形成されるボルト孔とのうち、一方を縦長の長孔状とし、他方を横長の長孔状としたことを特徴とする請求項１に記載の持ち出し手摺。
【請求項３】
コンクリートスラブの鼻先の立上り部に複数本の手摺用支柱を立設し、これらの支柱の上端部に笠木を架設し、前記支柱の上下二箇所には、支柱に対する固定部と支柱よりも外方へ突出した支持片とを備えたパネル取付け用ブラケットを固定し、当該ブラケットに手摺壁用のパネルを、コンクリートスラブの鼻先よりも外方に持ち出し、且つ、当該コンクリートスラブの鼻先を覆う状態に取り付けて成る持ち出し手摺であって、前記パネルの上下二箇所に、上下のブラケットの支持片に対応してパネルから内方へ突出した取付け片を設け、上方のブラケットの支持片には、上方に開口した縦溝部とその下端から外方へ屈曲した横溝部とからなり、上方の取付け片に横方向に挿通支持された固定用ボルトに係止することが可能な切欠き部を形成し、前記固定用ボルトを当該切欠き部に係止させた状態で、上方の取付け片と上方のブラケットの支持片とをボルト締めする一方、下方の取付け片と下方のブラケットの支持片とをボルト締めしてあることを特徴とする持ち出し手摺。
【請求項４】
上方の取付け片に形成されるボルト孔を縦長の長孔状とし、下方の取付け片に形成されるボルト孔と下方のブラケットの支持片に形成されるボルト孔とのうち、一方を縦長の長孔状とし、他方を横長の長孔状としたことを特徴とする請求項３に記載の持ち出し手摺。
【発明の詳細な説明】
【技術分野】
【０００１】
本発明は、例えば集合住宅のバルコニーや外部廊下となるコンクリートスラブの外部側に設けられる手摺のうち、コンクリートスラブの鼻先の立上り部に複数本の手摺用支柱を立設し、これらの支柱の上端部に笠木を架設し、前記支柱の上下二箇所には、支柱に対する固定部と支柱よりも外方へ突出した支持片とを備えたパネル取付け用ブラケットを固定し、当該ブラケットに手摺壁用のパネルを、コンクリートスラブの鼻先よりも外方に持ち出し、且つ、当該コンクリートスラブの鼻先を覆う状態に取り付けて成る持ち出し手摺に関するものである。
【背景技術】
【０００２】
この種の持ち出し手摺は、主として建築デザイン上の要求から開発されたもので、手摺壁用のパネルがコンクリートスラブの鼻先よりも外方に位置し、且つ、鼻先を覆っているため、鼻先立上り部の真上に設置される一般的な手摺に比べると、外観上、コンクリートスラブの鼻先が目立たず、例えば、コンクリートスラブの鼻先を覆い隠す手摺、手摺用支柱や笠木さえ見せない手摺、外壁と面一状に連続する手摺など、様々な建築デザイン上の要求を満足することができる。
【０００３】
しかしながら、手摺壁用のパネルがコンクリートスラブの鼻先よりも外方に持ち出された手摺であるが故に、施工上、次のような問題点がある。
【０００４】
即ち、手摺壁用のパネルがコンクリートスラブの鼻先に被って施工される場合、図７（Ａ），（Ｂ）に示すように、仮設手摺や外部養生ユニット（縦横格子状に組まれた単管、養生ネット等で構成される）等７０を連結する壁つなぎ７１が障害物となるため、手摺用支柱７２と笠木７３を先行して取り付けておき、壁つなぎ７１を取り外す工程に合わせて、後付けで、手摺壁用のパネル７４を手摺用支柱７２に取り付けることが必要とされる。従って、パネル７４の取付けは、仮設手摺や外部養生ユニット等７０の無い状態で行われる危険な作業となり、事故を防止するためには、出来るだけ簡便な取付け作業であることが望まれるのである。
【０００５】
ところが、従来では、図７、図８に示すように、手摺用支柱７２の上下二箇所に取り付けられたブラケット７５のボルト孔と、手摺壁用のパネル７４に設けられた取付け片７６のボルト孔とにボルト７７を通し、ナット７８で締め付け固定する構造であったため、パネル７４を保持する作業者と、ボルト７７を通す作業者の二人が必要であり、しかも、支柱７２のブラケット７５と、その両側に配置される２枚のパネル７４，７４の取付け片７６，７６との３枚に同時にボルト７７を挿通する必要があるため、作業性が悪く、安全確保が困難である。
【０００６】
尚、特許文献１に記載の持ち出し手摺では、パネル側に持ち出しブラケットを設けておき、この持ち出しブラケットを支柱にボルト・ナットで締め付け固定するように構成されているが、支柱と、その両側に配置される２枚のパネルの持ち出しブラケットとを、ボルトで共締めする構造であり、支柱と両側の持ち出しブラケットとの３者に同時にボルトを挿通する必要があるので、図７、図８で示した従来例と同様な問題点がある。
【０００７】
【特許文献１】特開２００４−１０７８８７号公報
【発明の開示】
【発明が解決しようとする課題】
【０００８】
本発明は、持ち出し手摺における上記の問題点を踏まえてなされたもので、その目的とするところは、手摺用支柱に対する手摺壁用パネルの取付けを一人の作業者でも容易に行えるようにすることにある。
【課題を解決するための手段】
【０００９】
上記の目的を達成するために、本発明が講じた技術的手段は、次のとおりである。即ち、請求項１に記載の発明による持ち出し手摺は、コンクリートスラブの鼻先の立上り部に複数本の手摺用支柱を立設し、これらの支柱の上端部に笠木を架設し、前記支柱の上下二箇所には、支柱に対する固定部と支柱よりも外方へ突出した支持片とを備えたパネル取付け用ブラケットを固定し、当該ブラケットに手摺壁用のパネルを、コンクリートスラブの鼻先よりも外方に持ち出し、且つ、当該コンクリートスラブの鼻先を覆う状態に取り付けて成る持ち出し手摺であって、前記パネルの上下二箇所に、上下のブラケットの支持片に対応してパネルから内方へ突出した取付け片を設け、上方の取付け片には、下方に開口した縦溝部とその上端から外方へ屈曲した横溝部とからなり、上方のブラケットの支持片に横方向に挿通支持された固定用ボルトに係止することが可能な切欠き部を形成し、当該切欠き部を前記固定用ボルトに係止させた状態で、上方の取付け片と上方のブラケットの支持片とをボルト締めする一方、下方の取付け片と下方のブラケットの支持片とをボルト締めしてあることを特徴としている。
【００１０】
請求項２に記載の発明による持ち出し手摺は、上方のブラケットの支持片に形成されるボルト孔を縦長の長孔状とし、下方の取付け片に形成されるボルト孔と下方のブラケットの支持片に形成されるボルト孔とのうち、一方を縦長の長孔状とし、他方を横長の長孔状としたことを特徴としている。
【００１１】
請求項３に記載の発明による持ち出し手摺は、コンクリートスラブの鼻先の立上り部に複数本の手摺用支柱を立設し、これらの支柱の上端部に笠木を架設し、前記支柱の上下二箇所には、支柱に対する固定部と支柱よりも外方へ突出した支持片とを備えたパネル取付け用ブラケットを固定し、当該ブラケットに手摺壁用のパネルを、コンクリートスラブの鼻先よりも外方に持ち出し、且つ、当該コンクリートスラブの鼻先を覆う状態に取り付けて成る持ち出し手摺であって、前記パネルの上下二箇所に、上下のブラケットの支持片に対応してパネルから内方へ突出した取付け片を設け、上方のブラケットの支持片には、上方に開口した縦溝部とその下端から外方へ屈曲した横溝部とからなり、上方の取付け片に横方向に挿通支持された固定用ボルトに係止することが可能な切欠き部を形成し、前記固定用ボルトを当該切欠き部に係止させた状態で、上方の取付け片と上方のブラケットの支持片とをボルト締めする一方、下方の取付け片と下方のブラケットの支持片とをボルト締めしてあることを特徴としている。
【００１２】
請求項４に記載の発明による持ち出し手摺は、上方の取付け片に形成されるボルト孔を縦長の長孔状とし、下方の取付け片に形成されるボルト孔と下方のブラケットの支持片に形成されるボルト孔とのうち、一方を縦長の長孔状とし、他方を横長の長孔状としたことを特徴としている。
【発明の効果】
【００１３】
請求項１に記載の発明の構成によれば、上方の取付け片に形成した切欠き部を、上方のブラケットの支持片に挿通支持された固定用ボルトに係止することによって、手摺壁用パネルの重量を支柱に預け、この状態でボルトの本締めを行うことができる。しかも、支柱の片側に配置するパネルの重量を支柱に預け、次に、反対側に配置するパネルの重量を支柱に預けることができ、ブラケットと両側の取付け片の３枚に同時にボルトを挿通する面倒な作業が不要となる。これらの結果、手摺用支柱に対する手摺壁用パネルの取付けを一人の作業者でも容易に行えることになる。
【００１４】
請求項２に記載の発明の構成によれば、上方の取付け片に形成された切欠き部の横溝部と、上方のブラケットの支持片に形成された縦長の長孔状ボルト孔、下方の取付け片と下方のブラケットの支持片に形成される縦横の長孔状ボルト孔によって、手摺用支柱に対する手摺壁用パネルの位置調整が可能であり、高精度の施工が可能である。
【００１５】
請求項３に記載の発明の構成によれば、請求項１に記載の発明とは逆に、上方の取付け片に挿通支持された固定用ボルトを上方のブラケットの支持片に形成された切欠き部に落とし込んで係止させることによって、手摺壁用パネルの重量を支柱に預け、この状態でボルトの本締めを行うことができる。
【００１６】
請求項４に記載の発明の構成によれば、上方のブラケットの支持片に形成された切欠き部の横溝部と、上方の取付け片に形成された縦長の長孔状ボルト孔、下方の取付け片と下方のブラケットの支持片に形成される縦横の長孔状ボルト孔によって、手摺用支柱に対する手摺壁用パネルの位置調整が可能であり、高精度の施工が可能である。
【発明を実施するための最良の形態】
【００１７】
図１〜図３は、本発明に係る持ち出し手摺の一例を示す。この持ち出し手摺は、例えば、集合住宅のバルコニーや外部廊下となるコンクリートスラブ（片持ちスラブ）１の鼻先２の立上り部３に複数本の手摺用支柱４を所定間隔おきに立設し、これらの支柱４の上端部に笠木５を架設し、前記支柱４の上下二箇所に、支柱４に対する固定部６ａと支柱４よりも外方へ突出した支持片６ｂとを備えたパネル取付け用ブラケット６を固定し、当該ブラケット６に手摺壁用の格子状のパネル７を、コンクリートスラブ１の鼻先２よりも外方に持ち出し、且つ、当該コンクリートスラブ１の鼻先２を覆う状態に取り付けたものである。
【００１８】
前記支柱４やパネル７を構成する直線状部材は、何れもアルミの押出し成形によって作製された角筒であり、開口端にはエンドキャップ８が嵌着されている。９は支柱４を貫通するブラケット固定用ボルト、１０はそれに螺合するナットである。
【００１９】
前記パネル７の上下二箇所には、上下のブラケット６の支持片６ｂに対応してパネル７から内方へ突出した取付け片１１が設けられている。上方の取付け片１１には、下方に開口した縦溝部ａとその上端から外方へ屈曲した横溝部ｂとからなるＬ字状の切欠き部１２が形成されており、切欠き部１２は上方のブラケット６の支持片６ｂに横方向に挿通支持された固定用ボルト１３に係止可能に構成されている。
【００２０】
そして、支柱４の両側に配置したパネル７の各取付け片１１の切欠き部１２を前記固定用ボルト１３に係止させた状態で、上方の取付け片１１と上方のブラケット６の支持片６ｂとを、前記固定用ボルト１３とそれに螺合するナット１４で締め付け固定する一方、下方の取付け片１１と下方のブラケット６の支持片６ｂとをボルト・ナット１５で締め付け固定してある。
【００２１】
上方のブラケット６に形成されるボルト孔１６は縦長の長孔状に形成され、下方のブラケット６に形成されるボルト孔１７と下方の取付け片１１に形成されるボルト孔１８とのうち、一方は縦長の長孔状に形成され、他方は横長の長孔状に形成されている。
【００２２】
上記の構成によれば、上方の取付け片１１に形成した切欠き部１２を、上方のブラケット６の支持片６ｂに挿通支持された固定用ボルト１３に係止することによって、パネル７の重量を支柱４に預け、この状態でボルトの本締めを行うことができる。
【００２３】
また、図４に示すように、支柱４の片側に配置するパネル７の重量を支柱４に預け、次に、反対側に配置するパネル７の重量を支柱４に預けることができ、ブラケット６と両側の取付け片１１の３枚に同時にボルトを挿通する面倒な作業が不要となる。
【００２４】
従って、これらの結果、支柱４に対するパネル７の取付け作業を一人の作業者でも容易に行えることになり、仮設手摺や外部養生ユニットの無い状態で行われる作業であるにもかかわらず安全確保が容易である。
【００２５】
また、上方の取付け片１１に形成された切欠き部１２の横溝部ｂと、上方のブラケット６の支持片６ｂに形成された縦長の長孔状のボルト孔１６、下方の取付け片１１と下方のブラケット６の支持片６ｂに形成された縦横の長孔状のボルト孔１７，１８によって、支柱４に対するパネル７の位置調整が可能であり、高精度の施工が可能である。
【００２６】
外壁面の塗装、タイル貼り等のリフレッシュ工事に際しては、図５に示すように、上下のボルト締めを緩め、下方の取付け片１１と下方のブラケット６との間に、スペーサー２０を介在させることによって、パネル７の下端側とコンクリートスラブ１の鼻先２との間に大きな隙間を形成することができ、この状態で、コンクリートスラブ１の鼻先２に対する塗装、タイル貼り等の作業を容易に行うことができる。
【００２７】
図６は、本発明に係る持ち出し手摺の他の例を示す。この持ち出し手摺は、コンクリートスラブ１の鼻先２の立上り部３に複数本の手摺用支柱４を立設し、これらの支柱４の上端部に笠木５を架設し、前記支柱４の上下二箇所には、支柱４に対する固定部６ａと支柱４よりも外方へ突出した支持片６ｂとを備えたパネル取付け用ブラケット６を固定し、当該ブラケット６に手摺壁用のパネル７を、コンクリートスラブ１の鼻先２よりも外方に持ち出し、且つ、当該コンクリートスラブ１の鼻先２を覆う状態に取り付けて成る持ち出し手摺であって、前記パネル７の上下二箇所に、上下のブラケット６の支持片６ｂに対応してパネル７から内方へ突出した取付け片１１を設け、上方のブラケット６の支持片６ｂには、上方に開口した縦溝部ａとその下端から外方へ屈曲した横溝部ｂとからなり、上方の取付け片１１に横方向に挿通支持された固定用ボルト１３に係止することが可能な切欠き部１２を形成し、前記固定用ボルト１３を当該切欠き部１２に係止させた状態で、上方の取付け片１１と上方のブラケット６の支持片６ｂとをボルト締め（固定用ボルト１３とそれに螺合するナットにより締め付け固定）する一方、下方の取付け片１１と下方のブラケット６の支持片６ｂとをボルト・ナット１５で締め付け固定するように構成した点に特徴がある。
【００２８】
上方の取付け片１１に形成されるボルト孔１６は縦長の長孔状に形成され、下方のブラケット６の支持片６ｂに形成されるボルト孔１７と下方の取付け片１１に形成されるボルト孔１８とのうち、一方は縦長の長孔状に形成され、他方は横長の長孔状に形成されている。その他の構成は、図１の実施形態と同じであるから、説明を省略する。
【図面の簡単な説明】
【００２９】
【図１】本発明に係る持ち出し手摺の正面図である。
【図２】本発明に係る持ち出し手摺の構成を説明する側面図である。
【図３】本発明に係る持ち出し手摺の平面図である。
【図４】本発明に係る持ち出し手摺の作用を説明する要部の平面図である。
【図５】本発明に係る持ち出し手摺の作用を説明する側面図である。
【図６】本発明に係る他の持ち出し手摺の構成を説明する側面図である。
【図７】従来例の問題点を説明する側面図である。
【図８】従来例の問題点を説明する要部の横断平面図である。
【符号の説明】
【００３０】
１  コンクリートスラブ
２  鼻先
３  立上り部
４  支柱
５  笠木
６  ブラケット
６ａ  固定部
６ｂ  支持片
７  パネル
１１  取付け片
１２  切欠き部
１３  固定用ボルト
１４  ナット
１６，１７，１８  ボルト孔
ａ  縦溝部
ｂ  横溝部
【図１】
0004681428.tif 000002
【図２】
0004681428.tif 000003
【図３】
0004681428.tif 000004
【図４】
0004681428.tif 000005
【図５】
0004681428.tif 000006
【図６】
0004681428.tif 000007
【図７】
0004681428.tif 000008
【図８】
0004681428.tif 000009